【手続補正書】
【提出日】平成28年7月12日(2016.7.12)
【手続補正１】
【補正対象書類名】明細書
【補正対象項目名】００７９
【補正方法】変更
【補正の内容】
【００７９】
本明細書に引用されるすべての特許、公開された出願および参考文献の内容の全てが、引用によりここに組み込まれる。
なお、本発明は、実施の態様として以下の内容を含む。
［態様１］
ヘッドセットコンピュータの動作を制御する方法であって、
差し迫った緊急事態を示す入力であって、本来のユーザからの一定の入力を受信することと、
前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであるが、以下の１つ以上の機能を行わせることとを含み、
前記１つ以上の機能は、
オーディオまたはビデオストリームのうちの少なくとも１つを取り込むことと、
取り込んだ画像と１つ以上のテンプレート画像とを比較して、近傍にいる１人以上の人物の画像バイオメトリック同定データを決定することと、
位置情報を決定することと、
前記取り込んだオーディオまたはビデオストリーム、前記決定したバイオメトリック同定データ、および前記位置情報のうちの少なくとも１つを、サービスプロバイダ、法的執行機関、およびセキュリティ組織のうちの少なくとも１つに転送することである、
方法。
［態様２］
態様１に記載の方法において、前記１つ以上の機能は、取り込んだボイスオーディオデータと１つ以上のテンプレートボイスとを比較して、前記近傍にいる１人以上の人物のボイスバイオメトリック同定データを決定することをさらに含む、
方法。
［態様３］
態様１または２に記載の方法において、前記１つ以上の機能は、前記ヘッドセットコンピュータの所定の近傍内で１つ以上のワイヤレスデバイスを特定することをさらに含む、
方法。
［態様４］
態様３に記載の方法において、前記ヘッドセットコンピュータを前記特定した１つ以上のワイヤレスデバイスのうちの少なくとも１つと自動的にペアリングすることをさらに含む、
方法。
［態様５］
態様４に記載の方法において、前記１つ以上の機能は、前記特定した１つ以上のワイヤレスデバイスのうちのペアリングされたものから、個人情報をコピーすることをさらに含む、
方法。
［態様６］
態様１から５のいずれか一態様に記載の方法において、前記１つ以上の機能は、前記他のユーザによってなされたパスワードの変更をオーバーライドすることをさらに含む、
方法。
［態様７］
態様１から６のいずれか一態様に記載の方法において、前記本来のユーザからの前記受信した一定の入力は、口頭によるフレーズ、頭部の動き、またはハンドジェスチャを含む、
方法。
［態様８］
態様１から７のいずれか一態様に記載の方法において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
方法。
［態様９］
態様１から８のいずれか一態様に記載の方法において、前記１つ以上の機能は、前記他のユーザが、前記１つ以上の機能が行われることに気付かないように、内密の様式で行われる、
方法。
［態様１０］
ヘッドセットコンピュータの動作を制御する装置であって、
差し迫った緊急事態を示す入力であって、本来のユーザからの一定の入力を受信する受信ユニットと、
前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであり、以下の１つ以上の機能を行わせる対応作動ユニットとを備え、
前記１つ以上の機能は、
オーディオまたはビデオストリームのうちの少なくとも１つを取り込むことと、
取り込んだ画像と１つ以上のテンプレート画像とを比較して、近傍にいる１人以上の人物の画像バイオメトリック同定データを決定することと、
位置情報を決定することと、
前記取り込んだオーディオまたはビデオストリーム、前記決定したバイオメトリック同定データ、および前記位置情報のうちの少なくとも１つを、サービスプロバイダ、法的執行機関、およびセキュリティ組織のうちの少なくとも１つに転送することである、
装置。
［態様１１］
態様１０に記載の装置において、前記対応作動ユニットは、取り込んだボイスオーディオデータと１つ以上のテンプレートボイスとを比較して、前記近傍にいる１人以上の人物のボイスバイオメトリック同定データを決定する、
装置。
［態様１２］
態様１０または１１に記載の装置において、前記対応作動ユニットは、前記ヘッドセットコンピュータの所定の近傍内で１つ以上のワイヤレスデバイスを特定する、
装置。
［態様１３］
態様１２に記載の装置において、前記対応作動ユニットは、前記ヘッドセットコンピュータを前記特定した１つ以上のワイヤレスデバイスのうちの少なくとも１つと自動的にペアリングする、
装置。
［態様１４］
態様１３に記載の装置において、前記対応作動ユニットは、前記特定した１つ以上のワイヤレスデバイスのうちのペアリングされたものから、個人情報をコピーする、
装置。
［態様１５］
態様１０〜１４のいずれか一態様に記載の装置において、前記対応作動ユニットは、前記他のユーザによってなされたパスワードの変更をオーバーライドする、
装置。
［態様１６］
態様１０〜１５のいずれか一態様に記載の装置において、前記本来のユーザからの前記受信した一定の入力は、口頭によるフレーズ、頭部の動き、またはハンドジェスチャを含む、
装置。
［態様１７］
態様１０〜１６のいずれか一態様に記載の装置において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
装置。
［態様１８］
態様１０〜１７のいずれか一態様に記載の装置において、前記対応作動ユニットは、前記他のユーザが、前記１つ以上の機能が行われることに気付かないように、内密の様式で前記１つ以上の機能を行う、
装置。
【手続補正２】
【補正対象書類名】特許請求の範囲
【補正対象項目名】全文
【補正方法】変更
【補正の内容】
【特許請求の範囲】
【請求項１】
ヘッドセットコンピュータの動作を制御する方法であって、
差し迫った緊急事態を示す入力であって、本来のユーザからの一定の入力を受信することと、
前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであるが、以下の１つ以上の機能を行わせることとを含み、
前記１つ以上の機能は、
オーディオまたはビデオストリームのうちの少なくとも１つを取り込むことと、
取り込んだ画像と１つ以上のテンプレート画像とを比較して、近傍にいる１人以上の人物の画像バイオメトリック同定データを決定することと、
位置情報を決定することと、
前記取り込んだオーディオまたはビデオストリーム、前記決定したバイオメトリック同定データ、および前記位置情報のうちの少なくとも１つを、サービスプロバイダ、法的執行機関、およびセキュリティ組織のうちの少なくとも１つに転送することである、
方法。
【請求項２】
請求項１に記載の方法において、前記１つ以上の機能は、取り込んだボイスオーディオデータと１つ以上のテンプレートボイスとを比較して、前記近傍にいる１人以上の人物のボイスバイオメトリック同定データを決定することをさらに含む、
方法。
【請求項３】
請求項１または２に記載の方法において、前記１つ以上の機能は、前記ヘッドセットコンピュータの所定の近傍内で１つ以上のワイヤレスデバイスを特定することをさらに含む、
方法。
【請求項４】
請求項３に記載の方法において、前記ヘッドセットコンピュータを前記特定した１つ以上のワイヤレスデバイスのうちの少なくとも１つと自動的にペアリングすることをさらに含む、
方法。
【請求項５】
請求項４に記載の方法において、前記１つ以上の機能は、前記特定した１つ以上のワイヤレスデバイスのうちのペアリングされたものから、個人情報をコピーすることをさらに含む、
方法。
【請求項６】
請求項１から５のいずれか一項に記載の方法において、前記１つ以上の機能は、前記他のユーザによってなされたパスワードの変更をオーバーライドすることをさらに含む、
方法。
【請求項７】
請求項１から６のいずれか一項に記載の方法において、前記本来のユーザからの前記受信した一定の入力は、口頭によるフレーズ、頭部の動き、またはハンドジェスチャを含む、
方法。
【請求項８】
請求項１から７のいずれか一項に記載の方法において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
方法。
【請求項９】
請求項１から８のいずれか一項に記載の方法において、前記１つ以上の機能は、前記他のユーザが、前記１つ以上の機能が行われることに気付かないように、内密の様式で行われる、
方法。
【請求項１０】
ヘッドセットコンピュータの動作を制御する装置であって、
差し迫った緊急事態を示す入力であって、本来のユーザからの一定の入力を受信する受信ユニットと、
前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであり、以下の１つ以上の機能を行わせる対応作動ユニットとを備え、
前記１つ以上の機能は、
オーディオまたはビデオストリームのうちの少なくとも１つを取り込むことと、
取り込んだ画像と１つ以上のテンプレート画像とを比較して、近傍にいる１人以上の人物の画像バイオメトリック同定データを決定することと、
位置情報を決定することと、
前記取り込んだオーディオまたはビデオストリーム、前記決定したバイオメトリック同定データ、および前記位置情報のうちの少なくとも１つを、サービスプロバイダ、法的執行機関、およびセキュリティ組織のうちの少なくとも１つに転送することである、
装置。
【請求項１１】
請求項１０に記載の装置において、前記対応作動ユニットは、取り込んだボイスオーディオデータと１つ以上のテンプレートボイスとを比較して、前記近傍にいる１人以上の人物のボイスバイオメトリック同定データを決定する、
装置。
【請求項１２】
請求項１０または１１に記載の装置において、前記対応作動ユニットは、前記ヘッドセットコンピュータの所定の近傍内で１つ以上のワイヤレスデバイスを特定する、
装置。
【請求項１３】
請求項１２に記載の装置において、前記対応作動ユニットは、前記ヘッドセットコンピュータを前記特定した１つ以上のワイヤレスデバイスのうちの少なくとも１つと自動的にペアリングする、
装置。
【請求項１４】
請求項１３に記載の装置において、前記対応作動ユニットは、前記特定した１つ以上のワイヤレスデバイスのうちのペアリングされたものから、個人情報をコピーする、
装置。
【請求項１５】
請求項１０〜１４のいずれか一項に記載の装置において、前記対応作動ユニットは、前記他のユーザによってなされたパスワードの変更をオーバーライドする、
装置。
【請求項１６】
請求項１０〜１５のいずれか一項に記載の装置において、前記本来のユーザからの前記受信した一定の入力は、口頭によるフレーズ、頭部の動き、またはハンドジェスチャを含む、
装置。
【請求項１７】
請求項１０〜１６のいずれか一項に記載の装置において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
装置。
【請求項１８】
請求項１０〜１７のいずれか一項に記載の装置において、前記対応作動ユニットは、前記他のユーザが、前記１つ以上の機能が行われることに気付かないように、内密の様式で前記１つ以上の機能を行う、
装置。